(57)【要約】 【課題】  収納部に入っている小物類が上から見えやすく、取り出しやすいと共にスペース効率に優れ、比較的安価に製造できる仕切り型小物収納具を提供する。【解決手段】  加撓性を有する又は横方向に伸縮可能なシート材3枚以上を重ね、両端から任意の間隔をおいて、縦仕切り線により隣接する２枚のシート材を接合することにより、収納部を形成し、かつこの縦仕切り線を収納部ごとにずらして配置することにより、２層以上の収納部を交互に形成する。【選択図】  図６
2015128570.tif 000002
【特許請求の範囲】
【請求項１】
加撓性を有する又は横方向に伸縮可能なシート材3枚以上を重ね、両端から任意の間隔をおいて、縦仕切り線により隣接する２枚のシート材を接合することにより、収納部を形成し、かつこの縦仕切り線を収納部ごとにずらして配置することにより、２層以上の収納部を交互に形成したことを特徴とする仕切り型小物収納具
【請求項２】
請求項1に記載した仕切り型小物収納具において、左右両端を接合したことを特徴とする仕切り型小物収納具
【請求項３】
請求項1に記載した仕切り型小物収納具において、左右両端もしくは下端もしくはその両方にマチを接合したことを特徴とする仕切り型小物収納具。
【請求項４】
請求項１から３に記載した仕切り型小物収納具において、シート材を横方向に二つ折りにしたものを接合したことを特徴とする仕切り型小物収納具。
【請求項５】
請求項１から４に記載の仕切り型小物収納具を内部に形成したことを特徴とするバッグ。
【発明の詳細な説明】
【技術分野】
【０００１】
本考案は、バッグ・ポーチ等の入れ物（以下バッグ等と称する）に、携帯電話・筆記具・ハンカチ・水筒・化粧品などの小物類を、効率よく収納する仕切り型小物収納具に関する
【背景技術】
【０００２】
バッグ等の内部には、ポケットが1〜３個程度縫合されているのが一般的である。ポケットに入りきらない小物類は、そのまま入れると、持ち歩くうちに移動し、どこに何があるか分からない状態になってしまう。そこでこれらの問題を解決するために、分類袋に収納する提案が複数なされている。
【先行技術文献】
【特許文献】
【０００３】
【特許文献１】実登３１４１８４７
【特許文献２】特開２００９−１３１３８５
【特許文献３】実開平４−１３１３２２
【特許文献４】特開２００７−３０１４００
【特許文献５】実開平３-５５７２８
【特許文献６】実登３０５０７４７
【発明の概要】
【発明が解決しようとする課題】
【０００４】
特許文献１〜５では、ポケットの底面が縫合又は接着されている。これらのポケットは底に行くに従って狭くなる形状なので、筒体（水筒など）や立方体の物を入れた場合、底まで物が入らないという問題があった。
【０００５】
特許文献２〜５では上下段にポケットを配置して収納する構造になっているため、バッグ等内を上から見たときに、一度にどこに何が入っているか（特に下の段のものが）見えにくいという問題がある。
【０００６】
特許文献３・６ではポケットが立体的に形成されており、厚さがある為、使用していない時は、無駄なスペースになるという問題がある。
【０００７】
特許文献２・４・６では、特別な金具や器具、パネル等を使用している為、コスト的に高価なものになってしまうという問題があった。
【０００８】
本発明は、収納部に入っている小物類が上から見えやすく、取り出しやすいと共にスペース効率に優れ、比較的安価に製造できる仕切り型小物収納具を提供することを目的とする。
【課題を解決するための手段】
【０００９】
課題を解決するために、請求項１に記載の本発明は、加撓性を有する又は横方向に伸縮可能なシート材3枚以上を重ね、両端から任意の間隔をおいて、縦仕切り線により隣接する２枚のシート材を接合することにより、収納部を形成し、かつこの縦仕切り線を収納部ごとにずらして配置することにより、２層以上の収納部を交互に形成したことを特徴とする仕切り型小物収納具である。
【００１０】
請求項２に記載の本発明は、請求項1に記載した仕切り型小物収納具において、左右両端を接合したことを特徴とする仕切り型小物収納具である。
【００１１】
請求項３に記載の本発明は、請求項1に記載した仕切り型小物収納具において、左右両端もしくは下端もしくはその両方にマチを接合したことを特徴とする仕切り型小物収納具である。
【００１２】
請求項４に記載の本発明は、請求項１から３に記載した仕切り型小物収納具において、シート材を横方向に二つ折りにしたものを接合したことを特徴とする仕切り型小物収納具である。
【００１３】
請求項５に記載の本発明は、請求項１から４に記載の仕切り型小物収納具を内部に形成したことを特徴とするバッグである。
【発明の効果】
【００１４】
以上に記載したところから明らかなように、本発明によれば、収納部に入っている小物類が上から見えやすく、取り出しやすいと共にスペース効率に優れ、比較的安価に製造できる仕切り型小物収納具を提供することが可能である。 
【発明を実施するための形態】
【実施例１】
【００１５】
図１は仕切り型小物収納具の一実施形態を示す正面図を表す。図１の小物収納具（符号１）は、バッグ等（符号１０）に収まるサイズで、出し入れできるものとする。基本的には加撓性を有する又は横方向に伸縮可能な素材のシート材を３枚以上重ねる。この実施例では、高さの異なる３枚のシート材（符号２・３・４）を重ねている。各シート材の両端部は接合されており、隣接する１枚目と２枚目の両端から任意の間隔をおいて、縦仕切り線（符号５）により接合することにより、まずシート材１枚目とシート材２枚目で画定される収納部（符号７a〜７d）が形成される。次にシート材２枚目（符号３）とシート材３枚目（符号４）をシート材１・２枚目における縦仕切り線（符号５）により形成された収納部の幅の半分あたりで縦仕切り線（符号６）により接合することにより、シート材２枚目とシート材３枚目で画定される収納部（符号７e〜７g）を形成する。このように収納部を形成すると、シート材１枚目とシート材２枚目、シート材２枚目とシート材３枚目で画定される２層の収納部が交互に形成されることになる。
【００１６】
このように形成された仕切り型小物収納具は、使っていない状態では、図１、図２、図３に示すように、平板状を維持する。また図４に示すように、収納部が交互に形成されている為、従来は物を入れるとデッドスペースとなってしまっていた空間が利用できるようになると共に、物を入れていない状態では、図５に示すように収納部が潰れてしまう為、バッグ等内という狭いスペースの効率的な活用が可能となる。しかも、バッグ等内を上から見たときに、収納部が上下に重なっていない為、一目でどこに何が入っているかが確認できる。またバッグ等にはもともと底があるものなので、この仕切り型小物収納具は、底が無いことを活かして、小さなものが取り出しにくい場合は、下から抜き取ることが可能である。
【実施例２】
【００１７】
本実施例は、図７に示すように、シート材の枚数を増やしたものである。このようにシート材の枚数を増やせば、交互に形成される収納部を2層以上に増やすことが可能である。
【実施例３】
【００１８】
本実施例は、図８に示すように、左右両端にマチを接合したものである。このようにマチを接合すれば、両端部に形成された収納部における立体物の収納量を増やすことができる。
【実施例４】
【００１９】
本実施例は、図９に示すように、下端にまちを接合したものである。このようにマチを接合したことにより、底を形成し、小物がバッグ等内に落ちないようにすることもできる。
【実施例５】
【００２０】
本実施例は、図１１、図１２に示すように、シート材を横方向に二つ折りにしたものを、実施例１と同様の方法で接合したものである。この例ではシート材３枚目を二つ折りにした状態で、シート材２枚目と接合している。この場合、シート材２枚目とシート材３枚目で画定される収納部の外側に、シート材３枚目を折り返した部分でポケット（符号１１）が形成される。このポケットは、かぎ等の収納スペースとして利用できる。
【実施例６】
【００２１】
本実施例は、図１３、図１４に示すように１枚目のシート材（符号２）の上端と下端の中間あたりに一枚目より高さ方向の幅の狭い２枚目（符号３）３枚目（符号４）のシート材を接合したものである。ゴム等の伸縮性の高い材料を使うことで、化粧品や筆記具等をスペース効率よく保持することができる。
【実施例７】
【００２２】
本実施例は、図１５に示すように、仕切り型小物収納具をバッグ内部に形成したものである。
【００２３】
以上、本発明の実施の形態を説明したが、本発明の具体的構成は上記の実施の形態に限定されるものではなく、本発明の要旨から外れない範囲での設計変更があっても本発明に含まれる。例えば、バッグ等本体の内側に上端部又は両端部を係合またはホック・ファスナー等で係合又はバッグ等本体のポケットに差込することにより、固定できるようにすることも可能である。
【図面の簡単な説明】
【００２４】
【図１】本発明の仕切り型小物収納具の一実施形態を示す正面図である。
【図２】図１の仕切り型小物収納具の側断面図である。
【図３】図１の仕切り型小物収納具の平面図である。
【図４】図１の仕切り型小物収納具に小物を全て入れた状態の平面図である。
【図５】図１の仕切り型小物収納具に小物を半分入れた状態の平面図である。
【図６】図１の仕切り型小物収納具に小物を全て入れ、バッグに収納した状態の斜視図である。
【図７】実施例２の平面図である。
【図８】実施例３の平面図である。
【図９】実施例４の側断面図である。
【図１０】主となるシート材の両面に収納部を作成した側断面図である。
【図１１】実施例５の側断面図である。
【図１２】実施例５の斜視図である。
【図１３】実施例６の仕切り型小物収納具に小物を全て入れた状態の斜視図である。
【図１４】実施例６の仕切り型小物収納具に小物を入れない状態の側断面図である。
【図１５】実施例７の小物収納具をバッグ内部に形成した状態の正面図である。
【符号の説明】
【００２５】
１    仕切り型小物収納具
２    シート材１枚目
３    シート材２枚目
４    シート材３枚目
５    シート材１枚目と２枚目の縦仕切り線
６    シート材２枚目と３枚目の縦仕切り線
７ａ  収納部ａ
７ｂ  収納部ｂ
７ｃ  収納部ｃ
７ｄ  収納部ｄ
７ｅ  収納部ｅ
７ｆ  収納部ｆ
７ｇ  収納部ｇ
８a   小物a(鍵)
８b   小物b(水筒)
８c   小物c(手帳)
８d   小物d(ボールペン)
８e   小物e(めがね)
８f   小物f(携帯電話)
８g   小物g(ハンカチ)
９    小物（スティック型化粧品など）
１０  バッグ等本体
１１  ポケット
１３  マチ
【図１】
2015128570.tif 000003
【図２】
2015128570.tif 000004
【図３】
2015128570.tif 000005
【図４】
2015128570.tif 000006
【図５】
2015128570.tif 000007
【図６】
2015128570.tif 000008
【図７】
2015128570.tif 000009
【図８】
2015128570.tif 000010
【図９】
2015128570.tif 000011
【図１０】
2015128570.tif 000012
【図１１】
2015128570.tif 000013
【図１２】
2015128570.tif 000014
【図１３】
2015128570.tif 000015
【図１４】
2015128570.tif 000016
【図１５】
2015128570.tif 000017